(57)【要約】【課題】従来のアルバムや絵本は、厚紙に直接印刷し、２つ折りにして背の部分を順次貼り合わせたものが一般的であるため、ページをめくる際に支点になる部分の剛性が強すぎて、ページを開いた時にページが浮き上がる問題があり、また製作部数が少ないと平版印刷では、コスト高になる問題があった。【解決手段】厚紙の中央に折り筋をプレス加工し、裏面が粘着面になっている紙にプリンタなどで印刷したものを、前記厚紙の折り筋中心より、０．５〜１０ｍｍ離して両方の内面に貼り付ける。こうして作成した複数枚の厚紙の外側両面に糊を付け、厚紙の外面同士を順次貼り合わせることにより、任意のページ数のアルバムや絵本を作成する。【選択図】図６
0003126946.tif 000002
【実用新案登録請求の範囲】
【請求項１】
厚紙のほぼ中央に折り筋をプレスにより形成し、
前記厚紙を前記折り筋に沿って２つに折り、
裏面に粘着面を持つ紙の表面に写真又は絵を印刷又はプリントし、
前記粘着面を持つ紙を前記厚紙の約半分の大きさに切断し、
前記粘着面を持つ紙を前記厚紙の折り筋中心から０．５〜１０ｍｍの幅を避けた前記厚紙の約半分の内面に粘着により貼り付け、
前記厚紙の残りの約半分に折り筋中心から０．５〜１０ｍｍの幅を避けた約半分の内面に、既に貼ったものとは別の前記粘着面を持つ紙を貼り付けることによって、
折った際に内側になる両面に写真又は絵を印刷した紙が貼り付けられた１枚の厚紙を作成し、
同様の方法で作成した複数の厚紙の外側の両面に糊を塗布し、
前記複数の厚紙の外面同士を順次貼り合わせることにより作成された任意のページ数を持つアルバム又は絵本。
【考案の詳細な説明】
【技術分野】
【０００１】
本考案は、少量生産に適するアルバムや絵本に関するものである。
【背景技術】
【０００２】
従来のアルバムや絵本は、厚紙に直接印刷し、２つ折りにして背の部分を順次貼り合わせたものが一般的であるため、ページをめくる際に支点になる部分の剛性が強すぎて、ページを開いた時にページが浮き上がることがあり（図７参照）、またページ数が多くなると、折った部分が何重にも重なるので他の部分より厚くなり、背表紙の幅を本体の厚さよりも大きくする必要が生じ、その結果、積み重ねると斜めになったり、背表紙と表紙のつなぎ目の角に傷が付いたりする問題があった。
【０００３】
また、コスト低減のために厚紙にレーザープリンタで印刷したものを２つ折りにして、上記と同様な方法で製本すると、ページをめくることによって伸びたり曲げられたりする紙の折り目部分で色素粒が剥離する問題があった。
【考案の開示】
【考案が解決しようとする課題】
【０００４】
本考案は、前述した従来のアルバムや絵本の構造上の問題を解決すると同時に、少量生産のアルバムや絵本のコスト下げることが目的である。
つまり、卒業アルバムなどは冊数が多いため初期コストのかかる平版印刷で作成しても１冊あたりの単価は安くなるが、結婚式のスナップ写真を集めたアルバムなどは１、２冊しか作らないため高価になるなどの問題も解決することである。
【課題を解決するための手段】
【０００５】
厚紙の中央に折り筋をプレス加工し、裏面が粘着面になっている紙にプリンタなどで印刷したものを、前記厚紙の折り筋中心より、０．５〜１０ｍｍ離して両方の内面に貼り付ける。
こうして作成した複数枚の厚紙の外側両面に糊を付け、厚紙の外面同士を順次貼り合わせることにより、任意のページ数のアルバムや絵本を作成する。
【考案の効果】
【０００６】
市販の粘着面付きのプリンタ用紙に、任意の絵や写真をプリントして利用できるので少量生産でもコスト高にならない。
【０００７】
厚紙の折り筋中心から０．５〜１０ｍｍ離して、写真をプリンタなどで印刷した粘着面を持つ紙（以下シール紙と記載する）を貼り付けることにより、厚紙を折ることにより厚さが増す分より、シール紙を貼ることにより厚さが増す分の方がやや大きくなるので、背表紙の幅を本体の厚さより大きくする必要が無くなった。
【０００８】
これにより、本体と背表紙を同じ厚さにできるので、積み重ねても平らになり、背表紙と表紙のつなぎ目の角に傷がつくこともなくなった。
【０００９】
プリンタで印刷した面が折れ曲がることがなくなるので、色素粒が剥離することがなくなった。
【００１０】
写真を貼った部分よりも支点部分が薄くて柔軟性があるので、どのページを開いてもページが上に浮くことなく平らに開くようになった。これにより、見やすく、高級感があり、しかも傷みにくいアルバムや絵本が製作可能になった。
【考案を実施するための最良の形態】
【００１１】
以下に図１から図６を用いて具体的なアルバムまたは絵本の作成方法を説明する。
尚、説明の中に書いた紙の大きさや厚さは、これに特定するものではない。
【００１２】
台紙用の超厚口上質紙厚さ０．２５ｍｍ、Ａ３サイズに、縦型Ａ４仕上げになるように、中央に折り筋３をプレス加工する。
【００１３】
粘着面を保護している紙２ａにスリッター（切れ目）を加工し、プリンタで写真や絵を印刷する。
【００１４】
台紙１の折り筋３の中心より０．５〜１０ｍｍ離して印刷したシール紙２を置き、粘着面を保護している紙２ａを、スリッターに沿って、折り筋から遠い側の一部をはがし、露出した粘着面でシール紙の一部２ｂを貼り付ける（図３参照）。
これで位置が決まるので、残りの粘着面保護紙２ａをはがして、空気が入らないようにシール紙全体を貼り付ける。
このとき、台紙の折り筋中心から０．５〜１０ｍｍ離す間隔Ａは、治具を使って一定になるよう位置を決める。
【００１５】
シール紙を貼り終わったら台紙を折った状態で重ねて圧力をかけて保持する。
【００１６】
圧力をかけて所定の時間を経過したら、台紙の外側の両面１ａにのりを付けて、他の台紙と順次貼り合わせていく（図４参照）。
【００１７】
１冊分の台紙を貼り合わせたら圧力をかけて、のりが乾くまで保持し、その後、背部に寒冷紗４（綿布に紙を糊付けしたもの）を貼り付ける。
【００１８】
寒冷紗を貼ったのりが乾いたら、三方を裁断する。
【００１９】
背表紙の芯になるボール紙の幅は、本体の厚さに、おもて表紙とうら表紙の厚さを加えた値にする。その他は通常通りに表紙付けをして完成する。
【図面の簡単な説明】
【００２０】
【図１】台紙にシール紙を貼った状態の平面図
【図２】台紙にシール紙を貼った状態の正面図
【図３】シール紙を貼る工程の説明図
【図４】台紙の外面同士を順次貼り合わせて連続ページを形成する説明図
【図５】背の部分に寒冷紗を張り、裁断する工程の説明図
【図６】本考案のアルバム（絵本）を開いた時の正面図
【図７】従来の方法で作成したアルバム（絵本）を開いたときの正面図
【符号の説明】
【００２１】
１    台紙（厚紙）
１ａ  糊を塗った台紙の外面
２    粘着面を持つ紙（シール紙）
２ａ  粘着面を保護している紙
２ｂ  先に粘着面で貼り付けられた部分
３    折り筋
４    寒冷紗
５    裁断位置
６ａ  おもて表紙
６ｂ  うら表紙
６ｃ  背表紙
Ａ    折り筋中心からシール紙までの寸法
【図１】
0003126946.tif 000003
【図２】
0003126946.tif 000004
【図３】
0003126946.tif 000005
【図４】
0003126946.tif 000006
【図５】
0003126946.tif 000007
【図６】
0003126946.tif 000008
【図７】
0003126946.tif 000009
【手続補正書】
【提出日】平成18年9月7日(2006.9.7)
【手続補正１】
【補正対象書類名】実用新案登録請求の範囲
【補正対象項目名】全文
【補正方法】変更
【補正の内容】
【実用新案登録請求の範囲】
【請求項１】
長方形の厚紙のほぼ中央を通り前記長方形の一辺に平行な折り筋をプレスにより形成し、
前記厚紙を前記折り筋に沿って２つに折り、
裏面に粘着面を持つ紙の表面に写真又は絵を印刷又はプリントし、
前記粘着面を持つ紙を、前記厚紙の２つに折ったうちの片面の大きさにほぼ等しいか又はやや小さい長方形になるように切断し、
前記粘着面を持つ紙を前記厚紙の折り筋中心から０．５〜１０ｍｍの幅を避けた前記厚紙の約半分の内面に粘着により貼り付け、
前記厚紙の残りの約半分に折り筋中心から０．５〜１０ｍｍの幅を避けた約半分の内面に、既に貼ったものとは別の前記粘着面を持つ紙を貼り付けることによって、
折った際に内側になる両面に写真又は絵を印刷した紙が貼り付けられた１枚の厚紙を作成し、
同様の方法で作成した複数の厚紙の外側の両面に糊を塗布し、
前記複数の厚紙の外面同士を順次貼り合わせることにより作成された任意のページ数を持つアルバム又は絵本。